(57)【要約】【課題】  弾性力の強いゴムに変更しても、ある程度の腕力があれば簡単に発砲準備をすることができ、また、発砲準備状態を保持したまま、ゆっくり照準を合わせることができる銃型スリングショットを提供する。【解決手段】  銃型のスリングショットであって、上面に、銃の先端から後端にかけて長手方向に直線状に形成されたスリット１４が設けられた銃身１１の先端両側に、先端が手前方向にＵ字形に形成された一対のゴム固定具１２が設けられている。また、上部スライド型スリングショット１０は、ゴム固定具１２のそれぞれ先端に連結されたゴム１３が、銃身１１の内部からスリット１４を抜けて外部に突出した投石部１５の羽１８に設けられた孔２１に接続され、また、ストラップ１６が投石部１５の羽１８に設けられた孔２２に取り付けられて構成される。【選択図】        図１
0003138402.tif 000002
【実用新案登録請求の範囲】
【請求項１】
銃の先端から後端にかけて長手方向に直線状のスリットを有する銃身と、
前記銃身の先端両側に装着された一対のゴム固定具と、
前記銃身に内装され、前記銃身に設けられたスリットと併走するようにスリットが設けられ、下面に２つの孔を有する円筒と、
前記銃身の外側に突出するように設置された羽を有し、下面に凹部を有する投石部と、
前記円筒の下面に設けられた一方の孔から突出し、球が落下することを防止する落下防止機構と、
前記円筒の下面に設けられた他方の孔から突出し、前記投石部の下面に設けられた凹部に挿嵌される突起が設けられたロック機構と、
前記ゴム固定具と前記投石部の羽とを連結するゴムと、
を備えたことを特徴とする銃型スリングショット。
【請求項２】
前記銃身のスリットと前記円筒のスリットとが上面に設けられ、また、前記投石部の羽にストラップが設けられたことを特徴とする請求項１に記載の銃型スリングショット。
【請求項３】
前記銃身のスリットと前記円筒のスリットとが左右両側面に設けられ、また、前記銃身上面に照門を有し、また、前記銃身の先端両側面に、前記ゴム固定具と前記投石部の羽とを連結する前記ゴムが挿通される枠が設けられたことを特徴とする請求項１に記載の銃型スリングショット。
【請求項４】
前記投石部の羽に嵌入孔を有し、前記嵌入孔に嵌入する突起を有し、取り外し可能なハンドル部が設けられたことを特徴とする請求項３に記載の銃型スリングショット。
【考案の詳細な説明】
【技術分野】
【０００１】
本考案は、任意の対象物に対して石や鉛等の球を放つスリングショットに関し、特に、発砲準備状態を保持させることでゆっくり照準を合わせることができ、また、大きな腕力を必要とせずに発砲準備ができる銃型スリングショットに関する。
【背景技術】
【０００２】
一般的に、狩猟や競技において、例えば、ショットガンやライフルなど、様々な武器が使用されている。しかし、通常、これらの武器を使用するためには、試験に合格し登録を受けるなど一定の手続きを経る必要がある。したがって、これらの武器を使用することは、単に農作物や家屋に対する獣害対策として一時的に武器を使用したい人や、単に射的などの遊技として武器を使用したい人にとっては敷居が高いものである。そこで、一般の人でも試験に合格し登録を受けるなどの手続を経ることなく、また、手軽に所持することができる武器の１つとして、スリングショットがある。
【０００３】
スリングショットは、ゴムの弾性力を利用して石や球等を放つ武器であり、非常に単純な構造をしており、手軽に所持することができる。また、スリングショットは、火薬を使用するショットガンやライフルと比較すると威力は弱いものの、獣害対策として鳥獣類を殺傷する能力は十分にあり、また、射的などの遊技としても十分に使用できるものである。
【０００４】
従来のスリングショットとしては、図１０に開示されるようなものがある。図１０において、スリングショット８０は、グリップ８１の上部両側面から外側方向に向かって、すなわち、球の軌道を確保できるようにＹ字形に形成されて、一対のゴム固定部８２が設けられている。そして、スリングショット８０は、ゴム固定部８２のそれぞれの先端にゴム８３が連結され、そのゴム８３が投石部８４の両端に接続されて構成される。
【０００５】
スリングショット８０の発砲準備は、グリップ８１を片方の手で握り締め、もう片方の手で投石部８４に球を包み込みながら、グリップ８１と投石部８４を引き離すように投石部８４を手前に引き、ゴム８３を十分に伸張させた状態にして完了する。そして、球を発射する場合は、スリングショット８０の発砲準備状態を保持したまま、球の軌道を対象物に向け照準を合わせ、投石部８４から手を離す。すると、球は、ゴム８３の弾性力によって押動される投石部８４によって加速され、投石部８４から放たれた後、対象物に向かって発射される。
【考案の開示】
【考案が解決しようとする課題】
【０００６】
ところが、従来のスリングショット８０は、例えば、獣害対策として鳥獣類を遠距離から殺傷できるように飛距離を増加させるためには、ゴム８３を弾性力の強いゴムに変更する必要があるが、ゴム８３の弾性力を強くすると、ゴム８３を十分に伸張させるためには、ある程度腕力が必要となる。
【０００７】
また、スリングショット８０は、スリングショット８０の発砲準備状態を保持したまま、対象物に照準を合わせるため、腕力の弱い人にとっては、腕が震え、照準が定まらず、正確に対象物を狙い撃つことが困難である。また、スリングショット８０は、ゴム８３を伸張した際の投石部８４の位置によって、球の軌道や飛距離が変わるため、確実に対象物を狙い撃つためには、射的の訓練も必要となる。
【０００８】
したがって、一時的にスリングショット８０を使用する人とっては、スリングショット８０を十分に使いこなすために、あえて腕力や射的の訓練する必要が出てくるため、スリングショット８０は手軽に所持できる武器でありながら、あまり有用な武器とはならない。しかしながら、逆に、ゴム８３を弾性力の弱いゴムに変更すると、球の飛距離は短縮され、また、破壊力も減少するため、獣害対策の武器としては十分な効果が得られなくなる。
【０００９】
本考案は、上述の課題に鑑み、弾性力の強いゴムに変更しても、ある程度の腕力があれば、発砲準備をすることができ、また、発砲準備状態を保持することで、ゆっくり照準を合わせることができ、さらに、投石部の位置が常に一定となる銃型スリングショットを提供することを目的とする。
【課題を解決するための手段】
【００１０】
上述の課題を解決するために、本願第１の考案の銃型スリングショットは、銃の先端から後端にかけて長手方向に直線状のスリットを有する銃身と、銃身の先端両側に装着された一対のゴム固定具と、銃身に内装され、銃身に設けられたスリットと併走するようにスリットが設けられ、下面に２つの孔を有する円筒と、銃身の外側に突出するように設置された羽を有し、下面に凹部を有する投石部と、円筒の下面に設けられた一方の孔から突出し、球が落下することを防止する落下防止機構と、円筒の下面に設けられた他方の孔から突出し、投石部の下面に設けられた凹部に挿嵌される突起が設けられたロック機構と、ゴム固定具と投石部の羽とを連結するゴムと、を備えたことを特徴とする。
【００１１】
本願第２の考案の銃型スリングショットは、銃身のスリットと円筒のスリットとが上面に設けられ、また、投石部の羽にストラップが設けられたことを特徴とする。
【００１２】
本願第３の考案の銃型スリングショットは、銃身のスリットと円筒のスリットとが左右両側面に設けられ、また、銃身上面に照門を有し、また、銃身の先端両側面に、ゴム固定具と投石部の羽とを連結するゴムが挿通される枠が設けられたことを特徴とする。
【００１３】
本願第４の考案の銃型スリングショットは、投石部の羽に嵌入孔を有し、嵌入孔に嵌入する突起を有し、取り外し可能なハンドル部が設けられたことを特徴とする。
【考案の効果】
【００１４】
本願第１の考案の銃型スリングショットは、銃の先端から後端にかけて長手方向に直線状のスリットを有する銃身と、銃身の先端両側に装着された一対のゴム固定具と、銃身に内装され、銃身に設けられたスリットと併走するようにスリットが設けられ、下面に２つの孔を有する円筒と、銃身の外側に突出するように設置された羽を有し、下面に凹部を有する投石部と、円筒の下面に設けられた一方の孔から突出し、球が落下することを防止する落下防止機構と、円筒の下面に設けられた他方の孔から突出し、投石部の下面に設けられた凹部に挿嵌される突起が設けられたロック機構と、ゴム固定具と投石部の羽とを連結するゴムと、を備えるように構成されている。したがって、ゴムを伸張した状態で投石部をロック機構で保持しておくことができるため、ゆっくり照準を合わせることができ、正確に対象物を狙い撃つことができる。また、投石部が保持される位置が常に一定であり、また、投石部が円筒の内部に沿って移動するため、投石部の移動方向も常に一定となり、球の軌道や飛距離が毎回変わることがなく、確実に対象物を狙い撃つことができる。また、円筒の内部には落下防止機構を有するため、銃身を下方に向けても球が自然に落下することを防止することができる。
【００１５】
本願第２の考案の銃型スリングショットは、銃身のスリットと円筒のスリットとが上面に設けられ、また、投石部の羽にストラップが設けられるように構成されている。したがって、従来のスリングショットのように手で投石部に球を包み込みながらゴムを伸張させるのではなく、手でストラップのみを持ち、ゴムの伸張のみに腕力を使用できるため、弾性力の強いゴムに変更しても、ゴムを十分に伸張させ、発砲準備を完了させることができる。
【００１６】
本願第３の考案の銃型スリングショットは、銃身のスリットと円筒のスリットとが、左右両側面に設けられ、また、銃身上面に照門を有し、また、銃身の先端両側面に、ゴム固定具と投石部の羽とを連結するゴムが挿通される枠が設けられるように構成されている。したがって、投石部の羽が左右両側面に設置され、銃身上面に障害がなくなるため、照門を設置することができ、また、この照門を使用することによって、より一層命中率を高めることができる。また、銃身の先端側面に枠が設けられているため、球が発射した後のゴムの飛散を防止することができる。
【００１７】
本願第４の考案の銃型スリングショットは、投石部の羽に嵌入孔を有し、嵌入孔に嵌入する突起を有し、取り外し可能なハンドル部が設けられるように構成されている。したがって、従来のスリングショットのように投石部に球を指で包み込みながら指先のみでゴムを伸張させるのではなく、ハンドル部のみを手でしっかり握り、手の力や腕の力などを十分に使用して、ゴムを伸張することができるため、弾性力の強いゴムに変更しても、より一層簡単にゴムを伸張させることができる。
【考案を実施するための最良の形態】
【００１８】
第１実施形態．
以下、本考案の第１実施形態について図に基づいて説明する。図１は、本考案の第１実施形態の上部スライド型スリングショット１０の構成を示す斜視図である。図１に示すように、本考案の第１実施形態の上部スライド型スリングショット１０は、上面に、先端から後端にかけて長手方向に直線状に形成されたスリット１４が設けられた銃身１１の先端両側に、先端が手前方向にＵ字形に形成された一対のゴム固定具１２が設けられている。また、上部スライド型スリングショット１０は、ゴム固定具１２のそれぞれ先端に連結されたゴム１３が、銃身１１の内部からスリット１４を抜けて外部に突出した投石部１５の羽１８に設けられた孔２１に接続され、また、ストラップ１６が投石部１５の羽１８に設けられた孔２２に取り付けられて構成される。
【００１９】
図２は、上部スライド型スリングショット１０の内部を構成する円筒部２０の構造を示す斜視図である。図２に示すように、上部スライド型スリングショット１０の銃身１１の内部に挿入される円筒部２０は、円筒２５と、円筒２５の先端から挿入される投石部１５と、落下防止機構２９と、ロック機構３１と、トリガー３３と、から構成される。
【００２０】
円筒２５は、上面には、銃身１１に設けられたスリットと併走するように、先端から後部途中まで長手方向に直線状に形成されたスリット２６を有し、下面には、孔２７と、孔２８を有している。投石部１５は、孔２１と孔２２と突起２３を有しており、円筒２５の先端から挿入される。落下防止機構２９は、鉄の球２９ａと、鉄の球２９ａを押圧するバネ２９ｂから構成され、円筒２５の孔２７から円筒２５の内部に鉄の球２９ａが突出するように設置される。また、ロック機構３１は、突起３０と押し片３２を有しており、突起３０が円筒２５の孔２８から円筒２５の内部に突出するように設置される。そして、トリガー３３は、押し片３２を押圧し、突起３０を円筒２５の内部から下降させるように設置される。
【００２１】
図３は、上部スライド型スリングショット１０の発砲の準備状態を示す構成図である。また、図４は、上部スライド型スリングショット１０の発砲の準備状態を上から見た構成図である。図３に示すように、上部スライド型スリングショット１０の発砲の準備は、投石部１５の側面に有する孔２２に取り付けられたストラップ１６を手前に引き、ゴム１３を十分に伸張させたところで、投石部１５の下面に設けられた凹部３７に、ロック機構３１に設けられた突起３０が嵌入されて投石部１５がロックされる。そして、球３６を円筒２５の中に挿入する。このように、発砲準備の際に、腕力をストラップ１６を引くのみに集中できるため、簡単にゴム１３を伸張させることができる。なお、図３又は図４で示すように、球３６の発射方向の下面には、円筒２５の孔２７から突出した落下防止機構２９が設置されており、これによって、銃身１１が下方向に向けられても、球３６が落下することを防止することができる。
【００２２】
球を発射する場合は、発砲の準備状態で、任意の対象物に照準を合わせ、トリガー３３を引く。本考案の第１実施形態の銃型スリングショットでは、従来のスリングショット８０と異なり、ゆっくりと照準を合わせることができ、正確に対象物を狙い撃つことができる。トリガー３３が引かれると、ロック機構３１に設けられた押し片３２が押し下げられ、それに追従してロック機構３１に設けられた突起３０が円筒２５の孔２８から降下し、突起３０と投石部１５の下面に設けられた凹部３７の嵌入が外れる。そして、投石部１５は、ゴム１３の弾性力によって、円筒２５の前方に押動し、球３６は、投石部１５の先端２４に接触し、投石部１５によって加速され、円筒２５から放たれた後、対象物に向かって発射される。このように、投石部１５が保持される位置が常に一定であり、また、投石部１５が円筒２５の内部に沿って移動するため、投石部１５の移動方向も常に一定となり、球の軌道や飛距離が毎回変わることがなく、確実に対象物を狙い撃つことができる。
【００２３】
なお、図４に示すように、投石部１５の側面に突起２３を設け、図３又は図４に示すように銃身１１のスリット１４の内面に、投石部１５が円筒２５内部で振動しないように制動させるためのガイド３４を設けることで、投石部１５が円筒２５の内部をスムーズに移動することができ、球３６と先端２４が接触する箇所が常に一定となり、より一層安定した射撃をすることができる。
【００２４】
第２実施形態．
図５は、本考案の第２実施形態の側面スライド型スリングショット４０の構成を示す斜視図である。図５に示すように、本考案の第２実施形態の側面スライド型スリングショット４０は、側面にスリット４６が設けられた銃身４１の先端両側に、先端が手前方向にＵ字形に形成された一対のゴム固定具４２が設けられ、また、銃身４１の先端両側面には枠４３が設けられ、また、上面には照門４７が設けられている。また、側面スライド型スリングショット４０は、ゴム固定具４２のそれぞれ先端に連結されたゴム４４が、銃身４１の内部から、スリット４６を抜けて外部に突出した投石部４５の羽５２に設けられた孔５０に接続され、また、投石部４５の羽５２に設けられた嵌入孔５１に嵌入する突起４９と投石部４５を引くためのハンドルを有するハンドル部４８から構成される。
【００２５】
図６は、本考案の第２実施形態の側面スライド型スリングショット４０を上から見た図である。図６に示すように、側面スライド型スリングショット４０は、投石部４５が有する嵌入孔５１に、ハンドル部４８に備えられた突起４９（図５参照）が嵌入され、ハンドル部４８を引くことで、投石部４５を引くことができるように構成されている。このように、発砲準備の際に、ハンドル部４８を手でしっかり握ることができ、手の力や腕の力などを十分に使用して、ゴムを伸張することができるため、ゴム４４を弾性力の強いゴムに変更しても、簡単にゴム４４を伸張させることができる。
【００２６】
図７は、図５に示される側面スライド型スリングショット４０を構成する円筒部６０の構成を示す斜視図である。図７に示すように、側面スライド型スリングショット４０の銃身４１の内部に挿入される円筒部６０は、円筒６５と、円筒６５の先端から挿入される投石部４５と、落下防止機構６６と、ロック機構６７と、トリガー７０と、から構成される。
【００２７】
円筒６５は、両側面には、銃身４１に設けられたスリットと併走するように、先端から後部途中まで長手方向に直線状に形成されたスリット６２を有し、下面には、孔６３と、孔６４を有する。投石部４５は、孔５０と孔５１を有しており、円筒６５の先端から挿入される。落下防止機構６６は、鉄の球６６ａと、鉄の球６６ａを押圧するバネ６６ｂから構成され、円筒６５の孔６３から円筒６５の内部に鉄の球６６ａが突出するように設置される。また、ロック機構６９は、突起６７と押し片６８を有しており、突起６７が円筒６５の孔６４から円筒６５の内部に突出するように設置される。そして、トリガー７０は、押し片６８を押圧し、突起６７を円筒６５の内部から下降させるように設置される。
【００２８】
図８は、側面スライド型スリングショット４０の発砲の準備状態を示す構成図である。また、図９は、側面スライド型スリングショット４０の発砲の準備状態を上から見た構成図である。図８に示すように、側面スライド型スリングショット４０の発砲の準備は、ハンドル部４８（図５参照）を手前に引き、ゴム４４を十分に伸張させたところで、投石部４５の下面に設けられた凹部５３に、ロック機構６９に設けられた突起６７が嵌入されて投石部４５がロックされる。そして、球３６を円筒６５の中に挿入する。なお、図８又は図９で示すように、球３６の発射方向の下面には、円筒６５の孔６３から突出した落下防止機構６６が設置されており、これによって、銃身４１が下方向に向けられても、球３６が落下することを防止することができる。
【００２９】
球を発射する場合は、発砲の準備状態で、照門４７を使用して、任意の対象物に照準を合わせ、トリガー７０を引く。本考案の第２実施形態の銃型スリングショットでは、本考案の第１実施形態の上部スライド型スリングショット１０と同様に、従来のスリングショット８０と異なり、ゆっくりと照準を合わせることができ、また、照門４７を使用するため、より一層正確に対象物を狙い撃つことができる。トリガー７０が引かれると、ロック機構６９に設けられた押し片６８が押し下げられ、それに追従してロック機構６９に設けられた突起６７が円筒６５の孔６４から降下し、突起６７と投石部４５の下面に設けられた凹部５３の嵌入が外れる。そして、投石部４５はゴム４４の弾性力によって、円筒６５の前方に押動し、球３６は、投石部４５の先端６１に接触し、投石部４５によって加速され、銃身６５から放たれた後、対象物に向かって発射される。このように、本考案の第２実施形態の側面スライド型スリングショット４０においても、本考案の第１実施形態の上部スライド型スリングショット１０と同様に、投石部４５が保持される位置が常に一定であり、また、投石部４５が銃身６５の内部に沿って移動するため、投石部４５の移動方向も常に一定となり、球の軌道や飛距離が毎回変わることがなく、確実に対象物を狙い撃つことができる。
【００３０】
以上述べた実施の形態は本考案を説明するための一例であり、本考案は、上記の実施の形態に限定されるものではなく、本考案の要旨の範囲で種々の変形が可能である。
【産業上の利用可能性】
【００３１】
本考案は、狩猟や競技に限られず、獣害対策や、各種射的遊技に適用可能である。
【図面の簡単な説明】
【００３２】
【図１】本考案の第１実施形態の上部スライド型スリングショットの構成を示す斜視図である。
【図２】本考案の第１実施形態の上部スライド型スリングショットの内部を構成する銃身部の構造を示す斜視図である。
【図３】本考案の第１実施形態の上部スライド型スリングショットの発砲準備を保持した状態を示す構成図である。
【図４】本考案の第１実施形態の上部スライド型スリングショットの発砲準備を保持した状態を上から見た構成図である。
【図５】本考案の第２実施形態の側面スライド型スリングショットの構成を示す斜視図である。
【図６】本考案の第２実施形態の側面スライド型スリングショットを上から見た図である。
【図７】本考案の第２実施形態の側面スライド型スリングショットの内部に設けられた銃身部の構成を示す斜視図である。
【図８】本考案の第２実施形態の側面スライド型スリングショットの発砲準備を保持した状態を示す構成図である。
【図９】本考案の第２実施形態の側面スライド型スリングショットの発砲準備を保持した状態を上から見た図である。
【図１０】従来のスリングショットの一例を示す斜視図である。
【符号の説明】
【００３３】
１０  上部スライド型スリングショット
１１  銃身
１２  ゴム固定具
１３  ゴム
１４  スリット
１５  投石部
１６  ストラップ
１７  把持部
１８  羽
２０  円筒部
２１  孔
２２  孔
２３  突起
２４  先端
２５  円筒
２６  スリット
２７  孔
２８  孔
２９  落下防止機構
２９ａ  鉄の球
２９ｂ  バネ
３０  突起
３１  ロック機構
３２  押し片
３３  トリガー
３４  ガイド
３５  バネ
３６  球
３７  凹部
４０  側面スライド型スリングショット
４１  銃身
４２  ゴム固定具
４３  枠
４４  ゴム
４５  投石部
４６  スリット
４７  照門
４８  ハンドル部
４９  突起
５０  孔
５１  嵌入孔
５２  羽
５３  凹部
５４  把持部
６０  円筒部
６１  先端
６２  スリット
６３  孔
６４  孔
６５  円筒
６６  落下防止機構
６６ａ  鉄の球
６６ｂ  バネ
６７  突起
６８  押し片
６９  ロック機構
７０  トリガー
７１  バネ
【図１】
0003138402.tif 000003
【図２】
0003138402.tif 000004
【図３】
0003138402.tif 000005
【図４】
0003138402.tif 000006
【図５】
0003138402.tif 000007
【図６】
0003138402.tif 000008
【図７】
0003138402.tif 000009
【図８】
0003138402.tif 000010
【図９】
0003138402.tif 000011
【図１０】
0003138402.tif 000012